(57)【要約】【課題】  ポータブル音響機器を外部機器で制御する場合の利便性を向上する。【解決手段】  ポータブル音響機器１０のキー１６に割当てられた外部機器３０のキー３７が押下された場合に、そのキー３７が押下されたことを示す電圧のアナログ信号が、マイクロコンピュータ３１及び電圧変換部３３により生成され、ヘッドフォン端子１９を介してマイクロコンピュータ１３に入力される。マイクロコンピュータ１３の点灯機能１３ｄは、そのアナログ信号に基づきキー１６に割当てられた外部機器３０のキー３７が押下されたと判断し、液晶表示パネル１５のバックライト１７及びキー１６の周囲を明るくするＬＥＤライト１８を点灯させる。【選択図】  図１
2006330445.tif 000002
【特許請求の範囲】
【請求項１】
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記バックライトを点灯させる点灯手段と、
を備えることを特徴とする電子機器。
【請求項２】
前記点灯手段は、前記バックライトを点灯させてから所定時間が経過したとき該バックライトを消灯させることを特徴とする請求項１に記載の電子機器。
【請求項３】
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記液晶表示パネルに情報を表示する表示制御手段と、
を備えることを特徴とする電子機器。
【請求項４】
前記表示制御手段は、前記液晶表示パネルに情報を表示してから所定時間が経過したときに該液晶表示パネルでの情報の表示を停止することを特徴とする請求項３に記載の電子機器。
【請求項５】
情報を蓄積する蓄積手段とこれを内蔵する筐体とを備え、
前記筐体にはキーと該キーの周辺を明るくするためのライトと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記ライトを点灯させる点灯手段と、
を備えることを特徴とする電子機器。
【請求項６】
前記点灯手段は、前記ライトを点灯させてから所定時間が経過したとき該ライトを消灯させることを特徴とする請求項５に記載の電子機器。
【請求項７】
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記バックライトを点灯させる点灯手段と、
を備えることを特徴とする電子機器。
【請求項８】
前記点灯手段は、前記検出手段の検出結果に基づき前記入力端子から前記外部機器が外されたことが判明したときに前記バックライトを消灯させることを特徴とする請求項７に記載の電子機器。
【請求項９】
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記液晶表示パネルに情報を表示する表示制御手段と、
を備えることを特徴とする電子機器。
【請求項１０】
前記表示制御手段は、前記液晶表示パネルに情報を表示してから所定時間が経過したときに該液晶表示パネルでの情報の表示を停止することを特徴とする請求項９に記載の電子機器。
【請求項１１】
情報を蓄積する蓄積手段とこれを内蔵する筐体とを備え、
前記筐体にはキーと該本体キーの周辺を明るくするためのライトと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記ライトを点灯させる点灯手段と、
を備えることを特徴とする電子機器。
【請求項１２】
前記点灯手段は、前記検出手段の検出結果に基づき前記入力端子から前記外部機器が外されたことが判明したときに該ライトを消灯させることを特徴とする請求項１１に記載の電子機器。
【請求項１３】
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記バックライトを点灯させる点灯手段と、
を備えることを特徴とする電子機器。
【請求項１４】
前記点灯手段は、前記検出手段の検出結果に基づき前記入力端子から前記外部機器が外されたことが判明したとき或いは前記バックライトを点灯させてから所定時間が経過したときに該バックライトを消灯させることを特徴とする請求項１３に記載の電子機器。
【請求項１５】
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記液晶表示パネルに情報を表示する表示制御手段と、
を備えることを特徴とする電子機器。
【請求項１６】
前記表示制御手段は、前記検出手段の検出結果に基づき前記入力端子から前記外部機器が外されたことが判明したとき或いは前記液晶パネルに情報を表示してから所定時間が経過したときに該液晶表示パネルでの情報の表示を停止することを特徴とする請求項１５に記載の電子機器。
【請求項１７】
情報を蓄積する蓄積手段とこれを内蔵する筐体とを備え、
前記筐体にはキーと該本体キーの周辺を明るくするためのライトと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記ライトを点灯させる点灯手段と、
を備えることを特徴とする電子機器。
【請求項１８】
前記点灯手段は、前記検出手段の検出結果に基づき前記入力端子から前記外部機器が外されたことが判明したとき或いは前記ライトを点灯させてから所定時間が経過したときに該ライトを消灯させることを特徴とする請求項１７に記載の電子機器。
【請求項１９】
前記蓄積手段に蓄積された情報を前記外部機器を介して出力することを特徴とする請求項１乃至１８のいずれか１項に記載の電子機器。
【請求項２０】
前記外部機器は、当該電子機器のリモートコントローラであることを特徴とする請求項１乃至１９のいずれか１項に記載の電子機器。
【請求項２１】
前記外部機器は、前記入力端子に対して無線で接続されることを特徴とする請求項１乃至２０のいずれか１項に記載の電子機器。
【請求項２２】
前記情報は音響を表し、前記情報を再生して出力することを特徴とする請求項１乃至２１のいずれか１項に記載の電子機器。
【請求項２３】
情報を蓄積する蓄積手段、該蓄積手段を内蔵する筐体、前記筐体に配置されたキー、前記筐体に配置された液晶表示パネル、前記液晶表示パネルのバックライト、外部機器接続用の入力端子、前記外部機器が操作されたことを検出する検出手段、及び前記検出手段が前記外部機器が操作されたことを検出した場合に前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする電子機器システム。
【請求項２４】
前記点灯手段は、前記バックライトを点灯させてから所定時間が経過したとき該バックライトを消灯させることを特徴とする請求項２３に記載の電子機器システム。
【請求項２５】
情報を蓄積する蓄積手段、これを内蔵する筐体、前記筐体に配置されたキー、前記筐体に配置された液晶表示パネル、外部機器接続用の入力端子、前記外部機器が操作されたことを検出する検出手段、及び前記検出手段が前記外部機器が操作されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする電子機器システム。
【請求項２６】
前記表示制御手段は、前記液晶表示パネルに情報を表示してから所定時間が経過したときに該液晶表示パネルでの情報の表示を停止することを特徴とする請求項２５に記載の電子機器システム。
【請求項２７】
情報を蓄積する蓄積手段、これを内蔵する筐体、前記筐体に配置されたキー、該キーの周辺を明るくするためのライト、外部機器接続用の入力端子、前記外部機器が操作されたことを検出する検出手段、及び前記検出手段が前記外部機器が操作されたことを検出した場合に、前記ライトを点灯する点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴する電子機器システム。
【請求項２８】
前記点灯手段は、前記ライトを点灯させてから所定時間が経過したとき該ライトを消灯させることを特徴とする請求項２７に記載の電子機器システム。
【請求項２９】
情報を蓄積する蓄積手段、これを内蔵する筐体、前記筐体に配置されたキー、前記筐体に配置された液晶表示パネル、該液晶表示パネルのバックライト、外部機器接続用の入力端子、前記外部機器が前記入力端子に接続されたか否かを検出する検出手段、及び前記検出手段が前記外部機器が前記入力端子に接続されたことを検出した場合に前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする電子機器システム。
【請求項３０】
前記点灯手段は、前記検出手段の検出結果に基づき前記入力端子から前記外部機器が外されたことが判明したときに前記バックライトを消灯させることを特徴とする請求項２９に記載の電子機器システム。
【請求項３１】
情報を蓄積する蓄積手段、これを内蔵する筐体、前記筐体に配置されたキー、前記筐体に配置された液晶表示パネル、外部機器接続用の入力端子、前記外部機器が前記入力端子に接続されたか否かを検出する検出手段、及び前記検出手段が前記外部機器が前記入力端子に接続されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする電子機器システム。
【請求項３２】
前記表示制御手段は、前記液晶表示パネルに情報を表示してから所定時間が経過したときに該液晶表示パネルでの情報の表示を停止することを特徴とする請求項３１に記載の電子機器システム。
【請求項３３】
情報を蓄積する蓄積手段、これを内蔵する筐体、前記筐体に配置されたキー、該キーの周辺を明るくするためのライト、外部機器接続用の入力端子、前記外部機器が前記入力端子に接続されたか否かを検出する検出手段、及び前記検出手段が前記外部機器が前記入力端子に接続されたことを検出した場合に、前記ライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする電子機器システム。
【請求項３４】
前記点灯手段は、前記検出手段の検出結果に基づき前記入力端子から前記外部機器が外されたことが判明したときに該ライトを消灯させることを特徴とする請求項３３に記載の電子機器システム。
【請求項３５】
情報を蓄積する蓄積手段、これを内蔵する筐体、前記筐体に配置されたキー、前記筐体に配置された液晶表示パネル、該液晶表示パネルのバックライト、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする電子機器システム。
【請求項３６】
前記点灯手段は、前記検出手段の検出結果に基づき前記入力端子から前記外部機器が外されたことが判明したとき或いは前記バックライトを点灯させてから所定時間が経過したときに該バックライトを消灯させることを特徴とする請求項３５に記載の電子機器システム。
【請求項３７】
情報を蓄積する蓄積手段、これを内蔵する筐体、前記筐体に配置されたキー、前記筐体に配置された液晶表示パネル、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする電子機器システム。
【請求項３８】
前記表示制御手段は、前記検出手段の検出結果に基づき前記入力端子から前記外部機器が外されたことが判明したとき或いは前記液晶パネルに情報を表示してから所定時間が経過したときに該液晶表示パネルでの情報の表示を停止することを特徴とする請求項３７に記載の電子機器システム。
【請求項３９】
情報を蓄積する蓄積手段、これを内蔵する筐体、前記筐体に配置されたキー、該キーの周辺を明るくするためのライト、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記ライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする電子機器システム。
【請求項４０】
前記点灯手段は、前記検出手段の検出結果に基づき前記入力端子から前記外部機器が外されたことが判明したとき或いは前記ライトを点灯させてから所定時間が経過したときに該ライトを消灯させることを特徴とする請求項３９に記載の電子機器システム。
【請求項４１】
前記蓄積手段に蓄積された情報を前記外部機器を介して出力することを特徴とする請求項２３乃至４０のいずれか１項に記載の電子機器システム。
【請求項４２】
前記外部機器は、前記電子機器のリモートコントローラであることを特徴とする請求項２３乃至４１のいずれか１項に記載の電子機器システム。
【請求項４３】
前記外部機器は、前記入力端子に対して無線で接続されることを特徴とする請求項２３乃至４２のいずれか１項に記載の電子機器システム。
【請求項４４】
前記蓄積手段に蓄積された情報は音響を表し、前記情報を再生して出力することを特徴とする請求項２３乃至４３のいずれか１項に記載の電子機器システム。
【発明の詳細な説明】
【技術分野】
【０００１】
この発明は、電子機器及び電子機器システムに関する。
【背景技術】
【０００２】
ポータブルＨＤＤプレーヤは、楽曲等の音響情報を蓄積して利用者に提供することが可能であると共に、その音響情報を蓄積する容量も大きいので、広く利用されつつある。
【０００３】
従来のポータブルＨＤＤプレーヤには、例えば特許文献１に記載されたものがある。
【特許文献１】特開２００３−２９５８９６号公報
【０００４】
特許文献１のポータブルＨＤＤプレーヤのケースには、利用者が操作や設定を行うための各種キーが配置されるとともに、設定内容等を表示する液晶表示装置が配置されている。このポータブルＨＤＤプレーヤは、電池を内蔵し、この電池を駆動電源としている。さらに、このポータブルＨＤＤプレーヤには、外部機器を接続するための端子が設けられている。
【発明の開示】
【発明が解決しようとする課題】
【０００５】
外部機器を接続する端子に外部機器を接続し、外部機器に設けられたキーを操作することにより、利用者の所望する楽曲等の再生が可能になる。しかしながら、ポータブルＨＤＤプレーヤの液晶表示装置や、そのバックライトや、ポータブルＨＤＤプレーヤの各種キーの周辺を明るくするＬＥＤ等は、低消費電力のために、特定のキーが押下されないと点灯しない構成になっている。
【０００６】
したがって、外部機器のキーを操作しても、ポータブルＨＤＤプレーヤの液晶表示装置や、そのバックライトや、ポータブルＨＤＤプレーヤの各種キーの周辺を明るくするＬＥＤ等が点灯しない。これらを点灯させるためには、利用者がポータブルＨＤＤプレーヤの特定のキーを操作する必要があり、不便であった。
【０００７】
本発明は、このような現状に鑑みてなされた発明であり、ポータブルＨＤＤプレーヤ等の音響機器のように、蓄積した情報を提供する電子機器の利便性を向上させることを目的とする。
【課題を解決するための手段】
【０００８】
上記目的を達成するために、本発明の第１の観点に係る電子機器は、
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記バックライトを点灯させる点灯手段と、
を備えることを特徴とする。
【０００９】
なお、前記点灯手段は、前記バックライトを点灯させてから所定時間が経過したとき該バックライトを消灯させてもよい。
【００１０】
上記目的を達成するために、本発明の第２の観点に係る電子機器は、
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記液晶表示パネルに情報を表示する表示制御手段と、
を備えることを特徴とする。
【００１１】
なお、前記表示制御手段は、前記液晶表示パネルに情報を表示してから所定時間が経過したときに該液晶表示パネルでの情報の表示を停止してもよい。
【００１２】
上記目的を達成するために、本発明の第３の観点に係る電子機器は、
情報を蓄積する蓄積手段とこれを内蔵する筐体とを備え、
前記筐体にはキーと該キーの周辺を明るくするためのライトと外部機器接続用の入力端子とが配置され、
前記キー或いは前記入力端子に接続された外部機器を操作することにより、前記情報を出力する電子機器であって、
前記外部機器が操作されたことを検出する検出手段と、
前記検出手段が前記外部機器が操作されたことを検出した場合に、前記ライトを点灯させる点灯手段と、
を備えることを特徴とする。
【００１３】
なお、前記点灯手段は、前記ライトを点灯させてから所定時間が経過したとき該ライトを消灯させてもよい。
【００１４】
上記目的を達成するために、本発明の第４の観点に係る電子機器は、
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記バックライトを点灯させる点灯手段と、
を備えることを特徴とする。
【００１５】
なお、前記点灯手段は、前記検出手段の検出結果に基づき前記入力端子から前記外部機器が外されたことが判明したときに前記バックライトを消灯させてもよい。
【００１６】
上記目的を達成するために、本発明の第５の観点に係る電子機器は、
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記液晶表示パネルに情報を表示する表示制御手段と、
を備えることを特徴とする。
【００１７】
なお、前記表示制御手段は、前記液晶表示パネルに情報を表示してから所定時間が経過したときに該液晶表示パネルでの情報の表示を停止してもよい。
【００１８】
上記目的を達成するために、本発明の第６の観点に係る電子機器は、
情報を蓄積する蓄積手段とこれを内蔵する筐体とを備え、
前記筐体にはキーと該本体キーの周辺を明るくするためのライトと外部機器接続用の入力端子とが配置され、
前記キー或いは前記入力端子に接続された外部機器を操作することにより、前記情報を出力する電子機器であって、
前記外部機器が前記入力端子に接続されたか否かを検出する検出手段と、
前記検出手段が前記外部機器が前記入力端子に接続されたことを検出した場合に、前記ライトを点灯させる点灯手段と、
を備えることを特徴とする。
【００１９】
なお、前記点灯手段は、前記検出手段の検出結果に基づき前記入力端子から前記外部機器が外されたことが判明したときに該ライトを消灯させてもよい。
【００２０】
上記目的を達成するために、本発明の第７の観点に係る電子機器は、
情報を蓄積する蓄積手段とこれを内蔵する筐体とを備え、
前記筐体にはキーと液晶表示パネルと該液晶表示パネルのバックライトと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記バックライトを点灯させる点灯手段と、
を備えることを特徴とする。
【００２１】
なお、前記点灯手段は、前記検出手段の検出結果に基づき前記入力端子から前記外部機器が外されたことが判明したとき或いは前記バックライトを点灯させてから所定時間が経過したときに該バックライトを消灯させてもよい。
【００２２】
上記目的を達成するために、本発明の第８の観点に係る電子機器は、
情報を蓄積する蓄積手段とこれを内蔵する筐体とを備え、
前記筐体にはキーと液晶表示パネルと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記液晶表示パネルに情報を表示する表示制御手段と、
を備えることを特徴とする。
【００２３】
なお、前記表示制御手段は、前記検出手段の検出結果に基づき前記入力端子から前記外部機器が外されたことが判明したとき或いは前記液晶パネルに情報を表示してから所定時間が経過したときに該液晶表示パネルでの情報の表示を停止してもよい。
【００２４】
上記目的を達成するために、本発明の第９の観点に係る電子機器は、
情報を蓄積する蓄積手段とこれを内蔵する筐体とを備え、
前記筐体にはキーと該本体キーの周辺を明るくするためのライトと外部機器接続用の入力端子とが配置され、
前記キー或いは前記入力端子に接続された外部機器を操作することにより、前記情報を出力する電子機器であって、
前記外部機器が前記入力端子に接続されて操作されたか否かを検出する検出手段と、
前記検出手段が前記外部機器が前記入力端子に接続されて操作されたことを検出した場合に、前記ライトを点灯させる点灯手段と、
を備えることを特徴とする。
【００２５】
なお、前記点灯手段は、前記検出手段の検出結果に基づき前記入力端子から前記外部機器が外されたことが判明したとき或いは前記ライトを点灯させてから所定時間が経過したときに該ライトを消灯させてもよい。
【００２６】
前述の本発明の第１〜第９の観点に係る電子機器において、前記蓄積手段に蓄積された情報を前記外部機器を介して出力してもよい。
【００２７】
また、前記外部機器は、当該電子機器のリモートコントローラであってもよい。
【００２８】
また、前記外部機器は、前記入力端子に対して無線で接続されてもよい。
【００２９】
また、前記情報は音響を表し、前記情報を再生して出力してもよい。
【００３０】
上記目的を達成するために、本発明の第１０の観点に係る電子機器システムは、
情報を蓄積する蓄積手段、該蓄積手段を内蔵する筐体、前記筐体に配置されたキー、前記筐体に配置された液晶表示パネル、前記液晶表示パネルのバックライト、外部機器接続用の入力端子、前記外部機器が操作されたことを検出する検出手段、及び前記検出手段が前記外部機器が操作されたことを検出した場合に前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする。
【００３１】
なお、前記点灯手段は、前記バックライトを点灯させてから所定時間が経過したとき該バックライトを消灯させてもよい。
【００３２】
上記目的を達成するために、本発明の第１１の観点に係る電子機器システムは、
情報を蓄積する蓄積手段、これを内蔵する筐体、前記筐体に配置されたキー、前記筐体に配置された液晶表示パネル、外部機器接続用の入力端子、前記外部機器が操作されたことを検出する検出手段、及び前記検出手段が前記外部機器が操作されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする。
【００３３】
なお、前記表示制御手段は、前記液晶表示パネルに情報を表示してから所定時間が経過したときに該液晶表示パネルでの情報の表示を停止してもよい。
【００３４】
上記目的を達成するために、本発明の第１２の観点に係る電子機器システムは、
情報を蓄積する蓄積手段、これを内蔵する筐体、前記筐体に配置されたキー、該キーの周辺を明るくするためのライト、外部機器接続用の入力端子、前記外部機器が操作されたことを検出する検出手段、及び前記検出手段が前記外部機器が操作されたことを検出した場合に、前記ライトを点灯する点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴する。
【００３５】
なお、前記点灯手段は、前記ライトを点灯させてから所定時間が経過したとき該ライトを消灯させてもよい。
【００３６】
上記目的を達成するために、本発明の第１３の観点に係る電子機器システムは、
情報を蓄積する蓄積手段、これを内蔵する筐体、前記筐体に配置されたキー、前記筐体に配置された液晶表示パネル、該液晶表示パネルのバックライト、外部機器接続用の入力端子、前記外部機器が前記入力端子に接続されたか否かを検出する検出手段、及び前記検出手段が前記外部機器が前記入力端子に接続されたことを検出した場合に前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする。
【００３７】
なお、前記点灯手段は、前記検出手段の検出結果に基づき前記入力端子から前記外部機器が外されたことが判明したときに前記バックライトを消灯させてもよい。
【００３８】
上記目的を達成するために、本発明の第１４の観点に係る電子機器システムは、
情報を蓄積する蓄積手段、これを内蔵する筐体、前記筐体に配置されたキー、前記筐体に配置された液晶表示パネル、外部機器接続用の入力端子、前記外部機器が前記入力端子に接続されたか否かを検出する検出手段、及び前記検出手段が前記外部機器が前記入力端子に接続されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする。
【００３９】
なお、前記表示制御手段は、前記液晶表示パネルに情報を表示してから所定時間が経過したときに該液晶表示パネルでの情報の表示を停止してもよい。
【００４０】
上記目的を達成するために、本発明の第１５の観点に係る電子機器システムは、
情報を蓄積する蓄積手段、これを内蔵する筐体、前記筐体に配置されたキー、該キーの周辺を明るくするためのライト、外部機器接続用の入力端子、前記外部機器が前記入力端子に接続されたか否かを検出する検出手段、及び前記検出手段が前記外部機器が前記入力端子に接続されたことを検出した場合に、前記ライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする。
【００４１】
なお、前記点灯手段は、前記検出手段の検出結果に基づき前記入力端子から前記外部機器が外されたことが判明したときに該ライトを消灯させてもよい。
【００４２】
上記目的を達成するために、本発明の第１６の観点に係る電子機器システムは、
情報を蓄積する蓄積手段、これを内蔵する筐体、前記筐体に配置されたキー、前記筐体に配置された液晶表示パネル、該液晶表示パネルのバックライト、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記バックライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする。
【００４３】
なお、前記点灯手段は、前記検出手段の検出結果に基づき前記入力端子から前記外部機器が外されたことが判明したとき或いは前記バックライトを点灯させてから所定時間が経過したときに該バックライトを消灯させてもよい。
【００４４】
上記目的を達成するために、本発明の第１７の観点に係る電子機器システムは、
情報を蓄積する蓄積手段、これを内蔵する筐体、前記筐体に配置されたキー、前記筐体に配置された液晶表示パネル、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記液晶表示パネルに情報を表示する表示制御手段を備え、前記蓄積手段に蓄積された情報を出力する電子機器と、
前記入力端子に接続され、キーを持つ外部機器とを備え、
前記電子機器のキー或いは前記外部機器のキーの操作に基づいて前記蓄積手段に蓄積された情報を出力することを特徴とする。
【００４５】
なお、前記表示制御手段は、前記検出手段の検出結果に基づき前記入力端子から前記外部機器が外されたことが判明したとき或いは前記液晶パネルに情報を表示してから所定時間が経過したときに該液晶表示パネルでの情報の表示を停止してもよい。
【００４６】
上記目的を達成するために、本発明の第１８の観点に係る電子機器システムは、
情報を蓄積する蓄積手段、これを内蔵する筐体、前記筐体に配置されたキー、該キーの周辺を明るくするためのライト、外部機器接続用の入力端子、前記外部機器が前記入力端子に接続されて操作されたか否かを検出する検出手段、及び前記検出手段が前記外部機器が前記入力端子に接続されて操作されたことを検出した場合に、前記ライトを点灯させる点灯手段を備え、前記情報を出力する電子機器と、
前記入力端子に接続され、キーを持つ外部機器とを備え、
前記電子機器のキー或いは前記外部機器のキーの操作に基づいて前記情報を出力することを特徴とする
【００４７】
なお、前記点灯手段は、前記検出手段の検出結果に基づき前記入力端子から前記外部機器が外されたことが判明したとき或いは前記ライトを点灯させてから所定時間が経過したときに該ライトを消灯させてもよい。
【００４８】
前述の本発明の第１０〜第１８の観点に係る電子機器システムにおいて、前記蓄積手段に蓄積された情報を前記外部機器を介して出力してもよい。
【００４９】
また、前記外部機器は、前記電子機器のリモートコントローラであってもよい。
【００５０】
また、前記外部機器は、前記入力端子に対して無線で接続されてもよい。
【００５１】
また、前記蓄積手段に蓄積された情報は音響を表し、前記情報を再生して出力してもよい。
【発明の効果】
【００５２】
本発明によれば、外部機器の操作時に、自動的に液晶表示パネルのバックライト或いは本体キーの周辺を明るくするためのライトが点灯し、利便性が向上する。
【発明を実施するための最良の形態】
【００５３】
以下、図面に基づき、本発明の実施の形態について詳細に説明する。
［第１の実施形態］
図１は、本発明の第１の観点に係る実施形態のポータブル音響機器１０と外部機器３０を示す構成図である。
【００５４】
このポータブル音響機器１０は、音響情報を蓄積する蓄積部１１と、機器全体の駆動源となる電池１２と、マイクロコンピュータ（マイコン）１３と信号増幅部１４とを備え、これらが筐体に内蔵されている。
【００５５】
ポータブル音響機器１０の筐体には、液晶表示パネル（ＬＣＤ）１５と複数のキー１６が配置されている。液晶表示パネル１５の背面には、バックライト１７が組み込まれている。また、ポータブル音響機器１０の筐体には、キー１６の周辺を明るくするためのＬＥＤライト１８と、外部機器３０が接続される入出力ポートとしてのヘッドフォン端子１９とが、組み込まれている。ポータブル音響機器１０の所定のキー１６を押下すると、液晶表示パネル１５のバックライト１７及びＬＥＤライト１８を点灯させることができる。
【００５６】
マイクロコンピュータ１３は、ポータブル音響機器１０の制御を行う手段であり、その機能には、外部機器３０から与えられたアナログ信号をデジタル信号に変換するＡ／Ｄ変換機能１３ａと、そのデジタル信号で特定されたキー１６が押下された場合と同様の制御信号を生成するキードライブ機能１３ｂと、キー１６が実際に押下されたことにより発生する制御信号或いはキードライブ機能１３ｂで生成した制御信号により、信号増幅部１４の増幅率等を制御するキー処理アプリーション機能１３ｃとが、含まれる。さらに、マイクロコンピュータ１３の機能には、従来にはない、点灯機能１３ｄが追加されている。この点灯機能１３ｄは、Ａ／Ｄ変換機能１３ａによってアナログ信号から変換されたデジタル信号が、当該装置のキー１６のいずれかを示す場合に、液晶表示パネル１５のバックライト１７及びＬＥＤライト１８を点灯させる機能である。
【００５７】
信号増幅部１４は、蓄積部１１から読み出した情報を、マイクロコンピュータ１３のキー処理アプリケーション機能１３ｃから与えられた制御信号で制御された増幅率で増幅する機能を持つ。
【００５８】
外部機器３０は、再生音をユーザの所望する音量に調整する機器であり、マイクロコンピュータ（マイコン）３１と、信号増幅部３２と、電圧変換部３３とを備え、これらが筐体に内蔵されている。
【００５９】
外部機器３０の筐体には、ポータブル音響機器１０のヘッドフォン端子１９に接続されるライン入力端子３４と、リモートコントローラ（リモコン）３５の発生する赤外線を受光するリモコン受光部３６と、複数のキー３７とが配置されている。
【００６０】
信号増幅部３２の入力側は、ライン入力端子３４に接続され、信号増幅部３２の出力側に、スピーカ３８が接続されている。
【００６１】
複数のキー３７には、信号増幅部３２の増幅率を設定するものや、ポータブル音響機器１０のキー１６に割り当てられたものもある。各キー３７は、マイクロコンピュータ３１に接続され、どのキー３７が押下されたかが、マイクロコンピュータ３１によってスキャンされる。リモコン受光部３６もマイクロコンピュータ３１に接続され、リモートコントローラ３５の操作内容がマイクロコンピュータ３１に認識される構成である。マイクロコンピュータ３１の発生する制御信号が電圧変換部３３に入力される。電圧変換部３３は電圧を発生する回路であり、入力された制御信号に応じて発生する電圧を変化させてアナログ信号を発生する。電圧変換部３３の出力側が、ライン入力端子３４に接続されている。この電圧変換部３３の発生するアナログ信号が、マイクロコンピュータ１３に入力される。
【００６２】
次に、ポータブル音響機器１０と外部機器３０の動作を説明する。
利用者は、ポータブル音響機器１０のキー１６、外部機器３０のキー３７或いはリモートコントローラ３５を操作し、蓄積部１１に蓄積されている音響情報を選択すると共に、選択した音響情報の再生音の音量を設定する。
【００６３】
ポータブル音響機器１０のキー１６を操作する場合には、最初に所定のキー１６を選択して押下することにより、液晶表示パネル１５のバックライト１７とＬＥＤライト１８とが点灯し、液晶表示パネル１５の表示が可視となるとともに、キー１６の周辺が明るくなり、利用者の後続する操作が容易になる。
【００６４】
リモートコントローラ３５を操作してバックライト１７とＬＥＤライト１８とを点灯させる場合には、リモートコントローラ３５により、ポータブル音響機器１０のキー１６を指定する。この指定したキー１６の情報は、リモコン受光部３６を介してマイクロコンピュータ３１に入力される。外部機器３０のキー３７を使用する場合には、ポータブル音響機器１０のキー１６に割り当てられたキー３７を押下すると、押下したキー３７の情報がマイクロコンピュータ３１に入力される。マイクロコンピュータ３１は、電圧変換部３３に制御信号を与え、電圧変換部３３から、入力された情報に対応するキー１６を示す電圧のアナログ信号を発生させる。
【００６５】
アナログ信号は、ライン入力端子３４及びヘッドフォン端子１９を介してマイクロコンピュータ１３に入力される。Ａ／Ｄ変換機能１３ａは、アナログ信号に対応するデジタル信号を発生する。キードライブ機能１３ｂは、そのデジタル信号で特定されたキー１６が押下された場合と同様の制御信号を生成する。点灯機能１３ｄは、キードライブ機能１３ｂで生成した制御信号に基づき、利用者がリモートコントローラ３５或いは外部機器３０を用いて複数のキー１６のうちのいずれかを選択したことを検出し、バックライト１７及びＬＥＤライト１８を点灯させる。
【００６６】
ポータブル音響機器１０を操作して蓄積部１１に蓄積されている音響情報を選択し、選択した音響情報の再生音の音量を設定する場合、利用者は、所定のキー１６を選択して押下する。マイクロコンピュータ１３のキードライブ機能１３ｂは、押下されたキー１６を特定し、そのキー１６に対応する制御信号を発生し、キー処理アプリケーション機能１３ｃがポータブル音響機器１０内を制御する。
【００６７】
例えば、押下されたキー１６によって、蓄積部１１に蓄積された音響情報が選択された場合には蓄積部１１が制御され、その音響情報が信号増幅部１４に与えられ、信号増幅部１４が音響情報を再生信号に変換して出力する。押下されたキー１６によって、信号増幅部１４での増幅率が指定される場合には、その情報が信号増幅部１４を制御するキー処理アプリーション機能１３ｃを経由して信号増幅部１４に与えられ、信号増幅部１４が音響情報を再生信号として出力する際の増幅率が設定される。
【００６８】
外部機器３０を操作して蓄積部１１に蓄積されている音響情報を選択する場合、これを設定するキー１６に割当てられたキー３７を選択して押下する。リモートコントローラ３５を利用する場合も、音響情報を選択するキー１６を指定する。これらの情報は、マイクロコンピュータ３１に入力される。マイクロコンピュータ３１は、電圧変換部３３に制御信号を与え、入力された情報に対応するキー１６を示す電圧のアナログ信号を電圧変換部３３から、発生させる。
【００６９】
アナログ信号は、ライン入力端子３４及びヘッドフォン端子１９を介してマイクロコンピュータ１３に入力される。Ａ／Ｄ変換機能１３ａは、アナログ信号に対応するデジタル信号を発生する。キードライブ機能１３ｂは、そのデジタル信号で特定されたキー１６が押下された場合と同様の制御信号を生成する。その制御信号に基づき、キー処理アプリケーション機能１３ｃは蓄積部１１を制御し、蓄積部１１に蓄積された音響情報が選択され、その音響情報が信号増幅部１４に与えられる。信号増幅部１４は、音響情報を再生信号に変換して外部機器３０の信号増幅部３２を介してスピーカ３８に与える。
【００７０】
スピーカ３８から出力する再生音の音量を外部機器３０或いはリモートコントローラ３５で調整する場合、利用者は信号増幅部３２の増幅率を設定するキー３７を選択するか、或いはリモートコントローラ３５でそのキー３７を指定する。これらの情報がマイクロコンピュータ３１に入力され、マイクロコンピュータ３１が、信号増幅部３２の増幅率を設定する。これにより、スピーカ３８から出力される再生音の音量が調節される。
【００７１】
以上のように、本実施形態では、ポータブル音響機器１０のキー１６に割当てられたキー３７を押下するか、リモートコントローラ３５でキー１６を指定するだけで、バックライト１７及びＬＥＤライト１８が点灯するので、外部機器３０或いはリモートコントローラ３５を操作する利用者が、ポータブル音響機器１０のキー１６を操作する必要がなくなり、利便性が向上する。
【００７２】
［第２の実施形態］
図２は、本発明の第２の観点に係る実施形態のポータブル音響機器５０と外部機器７０を示す構成図である。
【００７３】
このポータブル音響機器５０は、音響情報を蓄積する蓄積部５１と、機器全体の駆動源となる電池５２と、マイクロコンピュータ（マイコン）５３と信号増幅部５４とを備え、これらが筐体に内蔵されている。
【００７４】
ポータブル音響機器５０の筐体には、液晶表示パネル（ＬＣＤ）５５と複数のキー５６が配置されている。液晶表示パネル５５の背面には、バックライト５７が組み込まれている。また、ポータブル音響機器５０の筐体には、キー５６の周辺を明るくするためのＬＥＤライト５８と、外部機器７０が接続される入出力ポートとしてのヘッドフォン端子５９とが、組み込まれている。
【００７５】
ヘッドフォン端子５９に外部機器７０が接続されたときに、その情報がマイクロコンピュータ５３に通知される構成になっている。
【００７６】
また、第１の実施形態と同様に、ポータブル音響機器５０の所定のキー５６を押下すると、液晶表示パネル５５のバックライト５７及びＬＥＤライト５８を点灯させることができる。
【００７７】
マイクロコンピュータ５３は、ポータブル音響機器５０の制御を行う手段であり、その機能には、外部機器７０から与えられたアナログ信号をデジタル信号に変換するＡ／Ｄ変換機能５３ａと、そのデジタル信号で特定されたキー５６が押下された場合と同様の制御信号を生成するキードライブ機能５３ｂと、キー５６が実際に押下されたことにより発生する制御信号或いはキードライブ機能５３ｂで生成した制御信号により、信号増幅部５４の増幅率等を制御するキー処理アプリーション機能５３ｃとが、含まれる。
【００７８】
さらに、マイクロコンピュータ５３の機能には、第１の実施形態の点灯機能１３ｄの代わりとなる接続検出機能５３ｄが設けられている。この接続検知機能５３ｄは、ヘッドフォン端子５９に外部機器７０が接続されたことを検出し、液晶表示パネル５５のバックライト５７及びＬＥＤライト５８を点灯させる機能である。
【００７９】
信号増幅部５４は、蓄積部５１から読み出した音響情報を再生信号として、マイクロコンピュータ５３のキー処理アプリケーション機能５３ｃから与えられた制御信号で制御された増幅率で増幅する機能を持つ。
【００８０】
外部機器７０は、再生音をユーザの所望する音量に調整する機器であり、マイクロコンピュータ（マイコン）７１と、信号増幅部７２と、電圧変換部７３とを備え、これらが筐体に内蔵されている。
【００８１】
外部機器７０の筐体には、ポータブル音響機器５０のヘッドフォン端子５９に接続されるライン入力端子７４と、リモートコントローラ（リモコン）７５の発生する赤外線を受光するリモコン受光部７６と、複数のキー７７とが配置されている。
【００８２】
信号増幅部７２の入力側は、ライン入力端子７４に接続され、信号増幅部７２の出力側に、スピーカ７８が接続されている。
【００８３】
複数のキー７７には、信号増幅部７２の増幅率を設定するものや、ポータブル音響機器５０のキー５６に割り当てられたものもある。各キー７７は、マイクロコンピュータ７１に接続され、どのキー７７が押下されたかが、マイクロコンピュータ７１によってスキャンされる。リモコン受光部７６もマイクロコンピュータ７１に接続され、リモートコントローラ７５の操作内容がマイクロコンピュータ７１に認識される構成である。マイクロコンピュータ７１の発生する制御信号が電圧変換部７３に入力される。
【００８４】
電圧変換部７３は電圧を発生する回路であり、入力された制御信号に応じて発生する電圧を変化させてアナログ信号を発生する。電圧変換部７３の出力側が、ライン入力端子７４に接続されている。この電圧変換部７３の発生するアナログ信号が、マイクロコンピュータ５３に入力される。
【００８５】
以上の構成のポータブル音響機器５０のヘッドフォン端子５９に外部機器７０のライン入力端子７４を接続すると、電圧変換部７３が発生する電圧がマイクロコンピュータ５３に入力される。マイクロコンピュータ５３の接続検出機能５３ｄは、ヘッドフォン端子５９に外部機器７０のライン入力端子７４が接続されることで入力される電圧から、外部機器７０が接続されたことを検出し、液晶表示パネル５５のバックライト５７及びＬＥＤライト５８を点灯させる。ヘッドフォン端子５９から外部機器７０がはずされると、ヘッドフォン端子５９に入力される電圧がなくなるので、これを検出して、液晶表示パネル５５のバックライト５７及びＬＥＤライト５８を消灯させて消費電力を低減する。
【００８６】
バックライト５７及びＬＥＤライト５８を点灯及び消灯以外の動作は、第１の実施形態のポータブル音響機器１０及び外部機器３０の動作と同じ動作が、ポータブル音響機器５０及び外部機器７０で行われる。
【００８７】
以上のように、この第２の実施形態では、ヘッドフォン端子５９に外部機器７０のライン入力端子７４を接続すると、液晶表示パネル５５のバックライト５７及びＬＥＤライト５８が自動的に点灯するので、第１の実施形態と同様に、外部機器７０或いはリモートコントローラ７５を操作する利用者が、ポータブル音響機器５０のキー５６を操作する必要がなくなり、利便性が向上する。さらに、本実施形態では、バックライト５７及びＬＥＤライト５８を点灯させるための、操作も不要である。また、外部機器７０が接続されていることが検出されている状態で、キー操作に相当する信号がヘッドフォン端子５９に入力されたとき、バックライト５７及びＬＥＤライト５８を点灯させてもよい。この場合、ヘッドフォン端子５９から外部機器７０がはずされたことが判明したときにバックライト５７及びＬＥＤライト５８を消灯してもよいし、バックライト５７及びＬＥＤライト５８を点灯させてから所定時間が経過したときにこれらを消灯させてもよい。
【００８８】
なお、本発明は、上記実施形態に限定されず、種々の変形が可能である。
例えば、バックライト１７，５７及びＬＥＤライト１８，５８の両方を点灯させなくてもよく、例えばバックライト１７，５７のみ或いはＬＥＤライト１８，５８のみを点灯させてもよい。
また、外部機器３０，７０がヘッドフォン端子１９，５９に接続されたとき或いは外部機器３０，７０の操作が行われたときに液晶表示パネル１５，５５を点灯させ、外部機器３０，７０がヘッドフォン端子１９，５９からはずされたときに或いは液晶表示パネル１５，５５が表示されてから所定時間が経過後に、その液晶表示パネル１５，５５の表示を停止する構成にしてもよい。
【００８９】
また、リモートコントローラ３５，７５は、外部機器３０，７０の操作を指示するものであるが、ポータブル音響機器１０，５０にリモコン受光部を設け、リモートコントローラ３５，７５の操作で、バックライト１７，５７及びＬＥＤライト１８，５８の点灯を制御する構成にしてもよい。
【００９０】
さらに、蓄積部１１，５１で蓄積して外部機器３０，７０を介して出力する情報は、音響情報に限定されるものではなく、他の情報でもよい。例えば映像情報等でもよい。
【図面の簡単な説明】
【００９１】
【図１】本発明の第１の実施形態に係るポータブル音響機器と外部機器とを示す構成図である。
【図２】本発明の第２の実施形態に係るポータブル音響機器と外部機器とを示す構成図である。
【符号の説明】
【００９２】
１０，５０      ポータブル音響機器
１１，５１      蓄積部
１２，５２      電池
１３，５３      マイクロコンピュータ
１３ａ，５３ａ  Ａ／Ｄ変換機能
１３ｂ，５３ｂ  キードライブ機能
１３ｃ，５３ｃ  キー処理アプリケーション機能
１３ｄ          点灯機能
５３ｄ          接続検出機能
１４，５４      信号増幅部  
１５，５５      液晶表示パネル
１６，５６      キー
１７，５７      バックライト
１８，５８      ＬＥＤライト
１９，５９      ヘッドフォン端子
３０，７０      外部機器
３１，７１      マイクロコンピュータ
３２，７２      信号増幅部
３３，７３      電圧変換部
３４，７４      ライン入力端子
３５，７５      リモートコントローラ
３６，７６      リモコン受光部
３７，７７      キー
３８，７８      スピーカ
【図１】
2006330445.tif 000003
【図２】
2006330445.tif 000004